(57)【要約】  【課題】  本発明は、汚水を迅速かつ確実に効率よく濾過処理せしめることが出来、又、フィルタ−に目詰りを生じた場合にも容易に洗浄処理せしめることが出来る、汚水用フィルタ−、及びそれを用いた汚水用濾過装置を提供するものである。  【解決手段】  汚水用フィルタ−８は、外方より通水自在な略筒状芯材１２を介して略フィルム状の非透水性フィルタ−部材９が積層され、該各フィルタ−部材９の少なくとも一面には小突起１０が稠密状に形成されている。また、濾過装置は、ハウジング１内に仕切板４を介して濾過室３と濾液室２とが区画形成され、該濾過室３内には所要数の請求項１記載のフィルタ−８が配設され、該各フィルタ−８を構成する芯材１２の一端部は連通パイプ１９を介して濾液室２に連通されると共に、濾過室３には汚水供給口５とスラッジ排出口７とが各々形成され、他方、濾液室２には濾液排出口２０と洗浄液供給口２１が形成されている。  【選択図】      図４
2005279402.tif 000002
【特許請求の範囲】
【請求項１】
外方より通水自在な略筒状芯材を介して略フィルム状とされた所要数の非透水性フィルタ−部材が所要の長さに積層され、該各フィルタ−部材の少なくとも一面には小突起が稠密状に形成されてなることを特徴とする、汚水用フィルタ−。
【請求項２】
芯材には隣あうフィルタ−部材間の間隙を弾力的に調整保持せしめるべく調整ボルトを介してバネ部材が介装されてなることを特徴とする、請求項１記載の汚水用フィルタ−。
【請求項３】
所要のハウジング内に仕切板を介して濾過室と濾液室とが区画形成され、該濾過室内には所要数の請求項１記載のフィルタ−が配設され、該各フィルタ−を構成する芯材の一端部は連通パイプを介して濾液室に連通されると共に、濾過室には汚水供給口とスラッジ排出口とが各々形成され、他方、濾液室には濾液排出口が形成されてなることを特徴とする
、汚水用濾過装置。 
【請求項４】
濾液室には洗浄液供給口が形成されてなり、該洗浄液供給口より圧縮空気を混入せしめた洗浄液を濾液室に供給せしめつつ、連通パイプ及び芯材を通してフィルタ−を洗浄せしめるべく構成されてなることを特徴とする、請求項３記載の汚水用濾過装置。
【発明の詳細な説明】
【技術分野】
【０００１】
本発明は、主として工作機械の研削液、洗浄液、あるいはク−ラント液などの汚水を濾過せしめるさいに使用する汚水用フィルタ−、及びそれを用いた汚水用濾過装置に関する
。
【背景技術】
【０００２】
従来より、工作機械の研削液などの汚水を濾過せしめるフィルタ−としては、外周面に通水孔を備えた筒状芯材を介して所要数の略円形状濾紙が積層されたものが知られている
。また、実開平５−９６１０号公報に記載されているように、外周面に通水孔を備えた筒状芯材に略波形状とされた濾紙が筒状に巻付けられたものが知られている（特許文献１）
。
【０００３】
上述の如く構成された従来のフィルタ−は、汚水供給口・濾液排出口・スラッジ排水口
・圧縮空気導入口などを備えたハウジング内に配設せしめ、濾過装置として使用に供する
。そして、汚水を濾過せしめるさいには、汚水供給口よりハウジング内に所定の圧力でもって順次供給せしめ、フィルタ−の外周面より内周面に向けて順次透過せしめつつ濾過したのち、濾過水を芯材及び濾液排出口を通して外方に排出せしめる。また、フィルタ−の外周面にスラッジが付着して目詰りを生じた場合には、濾過作動を停止せしめ、フィルタ−の外表面に付着するスラッジをその自重により落下せしめつつスラッジ排出口より外方に排出せしめる。しかるのち、圧縮空気を圧縮空気導入口よりハウジング内に供給せしめ
、フィルタ−内に圧縮空気を導入してバブリングせしめつつ残存する付着スラッジを振い落し、あるいは、洗浄液を芯材内に圧入せしめつつ、フィルタ−の内周面より外周面に向けて洗浄液を透過せしめることによりフィルタ−を洗浄せしめるものである。
【特許文献１】特開平５−９６１０号公報
【発明の開示】
【発明が解決しようとする課題】
【０００４】
ところで、従来のフィルタ−は上述の如く、芯材を介して所要数の濾紙を積層せしめることにより形成され、また、芯材に略波形状の濾紙を筒状に巻付けて形成されたものであって、両者とも濾紙を主材とするものである。このため、非処理水である汚水を確実に濾過処理せしめることが出来る反面、必然的に汚水の濾過速度が非常に遅いものであって、ひいては、濾過処理時間が長くて非常に処理効率が悪いのみならず、大量に濾過処理せしめることが出来ないものである。さらに、フィルタ−の外表面にスラッジが付着して目詰りを生じた場合においても、圧縮空気によりフィルタ−をバブリングして付着するスラッジを振い落すのみでは充分な浄化が期待出来ず、また、洗浄液を芯材内に圧入せしめつつフィルタ−の内周面より外周面に向けて透過せしめることにより洗浄して浄化せしめる場合においても、その洗浄処理に時間がかかり、極めて洗浄効率が悪いものである。  
【０００５】
本発明は従来の問題点を解決し、常に汚水を迅速、かつ、確実に効率よく濾過処理せしめることが出来るのみならず、フィルタ−に目詰りを生じた場合においても容易に洗浄処理せしめることが出来る、汚水用フィルタ−、及びそれを用いた汚水用濾過装置を提供しようとするものである。
【課題を解決するための手段】
【０００６】
上記の目的を達成するため、請求項１記載の発明は、外方より通水自在な略筒状芯材を介して略フィルム状とされた所要数の非透水性フィルタ−部材が所要の長さに積層され、該各フィルタ−部材の少なくとも一面には小突起が稠密状に形成されてなることを特徴とする、汚水用フィルタ−を要旨とするものである。
【０００７】
請求項２記載の発明は、芯材には隣あうフィルタ−部材間の間隙を弾力的に調整保持せしめるべく調整ボルトを介してバネ部材が介装されてなることを特徴とする、請求項１記載の汚水用フィルタ−を要旨とするものである。
【０００８】
請求項３記載の発明は、所要のハウジング内に仕切板を介して濾過室と濾液室とが区画形成され、該濾過室内には所要数の請求項１記載のフィルタ−が配設され、該各フィルタ−を構成する芯材の一端部は連通パイプを介して濾液室に連通されると共に、濾過室には汚水供給口とスラッジ排出口とが各々形成され、他方、濾液室には濾液排出口が形成されてなることを特徴とする、汚水用濾過装置を要旨とするものである。 
【０００９】
請求項４記載の発明は、濾液室には洗浄液供給口が形成されてなり、該洗浄液供給口より圧縮空気を混入せしめた洗浄液を濾液室に供給せしめつつ、連通パイプ及び芯材を通してフィルタ−を洗浄せしめるべく構成されてなることを特徴とする、請求項３記載の汚水用濾過装置を要旨とするものである。
【発明の効果】
【００１０】
請求項１記載の発明は上述のように構成されているから、フィルタ−部材の少なくとも一面に稠密状に形成された小突起でもって相隣るフィルタ−部材間の間隙を適正に保持せしめ、汚水の濾過をスム−ズに行なわしめることが出来るのみならず、濾過面積を著しく
増大せしめることが出来るものであって、ひいては、汚水の濾過処理を常に迅速、かつ、確実に、しかも、大量に効率よく行なうことが出来るものである。また、フィルタ−に目詰りを生じた場合においても、フィルタ−部材間の間隙が適正に保持せしめられているから、洗浄液により逆洗して容易に洗浄せしめることが出来るものである。  
【００１１】
請求項２記載の発明は上述のように構成されているから、バネ部材により弾力的に付勢せしめつつ相隣るフィルタ−部材間の間隙を常に適正に保持せしめることが出来るものである。
【００１２】
請求項３記載の発明は上述のように構成されているから、汚水を汚水供給口よりハウジング内に所定の圧力でもって順次供給せしめると共に、小突起により所定の間隙に保持せしめたフィルタ−の外周面より内周面に向けて濾過せしめ、濾過水を芯材および連通パイプを通して濾液室に導入せしめたのち、濾液排出口より外方に排出せしめることが出来るものであって、従来例に比して、汚水の濾過処理を常に迅速、かつ、確実に、しかも大量に効率よく行なうことが出来るものである。
【００１３】
請求項４記載の発明は上述のように構成されているから、圧縮空気を混入せしめた洗浄液を洗浄液供給口より濾液室内に順次供給せしめると共に、連通パイプを通して芯材内に導入せしめ、小突起により所定の間隙に保持せしめたフィルタ−の内周面より外周面に向けて透過せしめつつ各フィルタ−部材を洗浄せしめることが出来るものであって、従来例に比して、その洗浄処理を迅速、かつ、確実に効率よく行なうことが出来るのみならず、圧縮空気を混入せしめた洗浄液を供給せしめるものであるから、単に洗浄液を供給せしめる従来例に比して、少ない洗浄液でもって非常に効率よく確実にフィルタ−を洗浄せしめることが出来るものである。
【発明を実施するための最良の形態】
【００１４】
以下に、本発明を実施するための最良の形態を図面に示す一実施例に基づいて説明する
。
【実施例】
【００１５】
図１乃至図４は本発明の一実施例を示すもので、同図中、１は上下端部が閉塞状とされた所要の径と高さを有する円筒状のハウジング、２・３は該ハウジング１内の上下に仕切板４を介して区画形成された濾液室と濾過室、５・６は該濾過室３に連通すべくハウジング１の上部に形成された汚水供給口と圧縮空気供給口、７は同下端部に形成されたスラッジ排出口である。８は濾過室３内に仕切板４を介して吊設状に配設された所要数のフィルタ−で、該各フィルタ−８は円形状とされた所要数の非透水性フィルタ−部材９を積層せしめることにより形成されている。そして、上記フィルタ−部材９はポリプロピレンなどの合成樹脂材により厚さが０．１〜１．０ｍｍ、好ましくは０．２〜０．３ｍｍの略フィルム状とされると共に、その一面には小突起１０が稠密状に形成され、かつ、中心に挿通孔１１が形成されている。１２は上記積層フィルタ−部材９の中心に挿通孔１１を介して挿通された略筒状の芯材で、該芯材１２は外側より通水せしめるべく一対の半筒状芯材部材１３を連結バンド１４により所定の間隔をおいて連結せしめることにより形成されている。１５は前記フィルタ−８を構成するフィルタ−部材９間の間隙を適正に調整せしめるべくフィルタ−８の下端より上記芯材１２下端に接続された調整ボルト、１６は該調整ボルト１５に押圧板１７を介して螺動自在に螺合されたナット、１８はフィルタ−８を常時付勢してフィルタ−部材９間の間隙を弾力的に保持せしめるべく調整ボルト１５に巻回状に介装されたバネ部材である。１９は前記仕切板４を介して各芯材１２の上端部と濾液室２とを連通せしめる連通パイプ、２０は濾液室２に連通すべくハウジング１の上端部一側に形成された濾液排出口、２１は濾液室２に連通すべくハウジング１の上端部に形成された洗浄液供給口で、該洗浄液供給口２１は圧縮空気を混入せしめた洗浄液を濾液室２に供給せしめることにより連通パイプ１９・芯材１２を通してフィルタ−８を洗浄せしめるものとされている。
【００１６】
次に、上述の如く構成された実施例の作動について説明する。
【００１７】
まず、濾過室３内に汚水供給口５より汚水を供給すると共に、圧縮空気供給口６より圧縮空気を供給し、汚水を所定の圧力に加圧しつつフィルタ−８の外周面より内周面に向けて順次透過せしめ、汚水を濾過せしめる。このさい、フィルタ−８を構成するフィルタ−部材９の上面には小突起１０が稠密状に形成せしめられているから、該小突起１０により相隣るフィルタ−部材９間の間隙を適正に保持せしめ、汚水の濾過を極めてスム−ズに行なわしめることが出来るのみならず、濾過面積を著しくアップせしめることが出来るものであって、常に汚水の濾過を迅速、かつ、確実に効率よく行なうことが出来る。また、調整ボルト１５を介してバネ部材１８が介装せしめられているから、隣あうフィルタ−部材９間の間隙を弾力的に調整保持せしめることが出来るものである。そして、フィルタ−８により濾過せしめた濾過水は、芯材１２及び連通パイプ１９を通して濾液室２に導入せしめ、順次濾液排出口２０より外方に排出せしめる。    
【００１８】
そして、フィルタ−８に目詰りを生じた場合には、濾過作動を停止せしめたのち、洗浄液供給口２１より圧縮空気を混入せしめた洗浄液を濾液室２内に供給せしめ、連通パイプ１９を通して芯材１２内に導入せしめつつ、フィルタ−８の内周面より外周面に向けて順次透過せしめ、フィルタ−８を洗浄せしめる。このさい、フィルタ−８を構成するフィルタ−部材９の間隙が小突起１０により適正に保持せしめられているから、洗浄液を非常にスム−ズに透過せしめて洗浄せしめることが出来るものであって、常にフィルタ−８の洗浄処理を迅速、かつ、確実に効率よく行なうことが出来る。また、圧縮空気を混入せしめた洗浄液を供給して洗浄せしめるものであるから、少ない洗浄液でもって非常に効率よく確実に洗浄せしめることが出来る。そして、フィルタ−８を洗浄せしめた洗浄液はスラッジと共にスラッジ排出口７より外方に排出せしめる。
【００１９】
なお、上記実施例において、フィルタ−部材９はその一面に小突起１０を形成するものとされているが、これに限定されるものではなく、両面に形成せしめてもよいものである
。また、芯材１２は一対の半筒状芯材部材１３を連結バンド１４により連結して形成するものとされているが、これに限定されるものではなく、例えば、筒体の外周面に通水孔を稠密状に形成せしめたものなど、公知のものを採択使用することが出来るものである。
【図面の簡単な説明】
【００２０】
【図１】本発明の一実施例を示す一部分解斜視図である。
【図２】本発明のフィルタ−８を用いた汚水用濾過装置を示す一部破断側面図である。
【図３】図２のＩ−Ｉ線に沿う断面図である。
【図４】図２のＡ部拡大断面図である。
【符号の説明】
【００２１】
１    ハウジング
２    濾液室
３    濾過室
４    仕切板
５    汚水供給口
７    スラッジ排出口
８    フィルタ−
９    フィルタ−部材
１０  小突起
１２  芯材
１５  調整ボルト
１８  バネ部材
１９  連通パイプ  
２０  濾液排出口
２１  洗浄液供給口
【図１】
2005279402.tif 000003
【図２】
2005279402.tif 000004
【図３】
2005279402.tif 000005
【図４】
2005279402.tif 000006